(57)【要約】【課題】コントラストが高く、高輝度であって映り込みのない画像を得ることができる反射型投影システム、反射スクリーンを提供する。【解決手段】映像源Ｌから投射される略直線偏光の映像光を、その偏光方向が、単位プリズム形状１２と光吸収部１４が同一断面形状を保ちながら延在する水平方向と略一致するように設ける。また、反射層１３は、水平方向の偏光成分のみを反射する偏光反射材により形成し、さらに、通過可能な偏光方向が水平方向となるように偏光層１６を設ける。【選択図】図２
2006285096.tif 000002
【特許請求の範囲】
【請求項１】
映像光を投射する映像源と、
前記映像光を反射させて観察可能にする反射スクリーンと、
を備えた反射型投影システムにおいて、
前記反射スクリーンは、スクリーン面に対して直交する断面において、光を透過可能な光透過部と、光を吸収する光吸収部とを備え、前記光透過部と前記光吸収部とが、スクリーン面に沿って交互に形成されており、
前記光透過部を通過した前記映像光を反射する反射層を前記光透過部の裏面側に備え、
前記映像光は、略直線偏光であって、前記映像光の偏光方向は、前記光透過部と前記光吸収部が同一断面形状を保ちながら延在する方向と略一致していること、
を特徴とする反射型投影システム。
【請求項２】
請求項１に記載の反射型投影システムにおいて、
前記光透過部は、スクリーン面に対して直交する断面において、裏面側における幅より前記映像源側における幅が広い略楔形状であってスクリーン面に沿って前記映像光の偏光方向と直交する方向に多数並べて形成された単位プリズム形状であること、
を特徴とする反射型投影システム。
【請求項３】
請求項１又は請求項２に記載の反射型投影システムにおいて、
通過する光の偏光状態を所定の偏光方向の直線偏光に揃える偏光層を有し、
前記偏光層により揃えられる所定の偏光方向は、前記映像光の偏光方向と略一致していること、
を特徴とする反射型投影システム。
【請求項４】
請求項１から請求項３までのいずれか１項に記載の反射型投影システムにおいて、
前記反射層は、一方向の偏光のみを選択的に反射する偏光反射材により形成されており、
前記偏光反射材が選択的に反射する偏光方向は、前記映像光の偏光方向と略一致していること、
を特徴とする反射型投影システム。
【請求項５】
請求項１から請求項４までのいずれか１項に記載の反射型投影システムにおいて、
少なくとも前記反射スクリーンが設置される空間を照明する照明光源をさらに備え、
前記照明光源の照明光は、略直線偏光であって、
前記照明光の偏光方向は、前記映像光の偏光方向と略直交していること、
を特徴とする反射型投影システム。
【請求項６】
映像源から投影された映像光を反射させて観察可能にする反射スクリーンであって、スクリーン面に対して直交する断面において、光を透過可能な光透過部と、光を吸収する光吸収部と、を備え、前記光透過部と前記光吸収部とが、スクリーン面に沿って交互に形成されており、少なくとも前記光透過部の裏面側に前記光透過部を通過した前記映像光を反射する反射層を備える反射スクリーンにおいて、
通過する光の偏光状態を所定の偏光方向の直線偏光に揃える偏光層を有し、
前記偏光層により揃えられる所定の偏光方向は、前記光透過部と前記光吸収部が同一断面形状を保ちながら延在する方向と略一致していること、
を特徴とする反射スクリーン。
【請求項７】
映像源から投影された映像光を反射させて観察可能にする反射スクリーンであって、スクリーン面に対して直交する断面において、光を透過可能な光透過部と、光を吸収する光吸収部と、を備え、前記光透過部と前記光吸収部とが、スクリーン面に沿って交互に形成されており、少なくとも前記光透過部の裏面側に前記光透過部を通過した前記映像光を反射する反射層を備える反射スクリーンにおいて、
前記反射層は、一方向の偏光のみを選択的に反射する偏光反射材により形成されており、
前記偏光反射材が選択的に反射する偏光方向は、前記光透過部と前記光吸収部が同一断面形状を保ちながら延在する方向と略一致していること、
を特徴とする反射スクリーン。
【請求項８】
請求項６又は請求項７に記載の反射スクリーンにおいて、
前記光透過部は、スクリーン面に対して直交する断面において、裏面側における幅より前記映像源側における幅が広い略楔形状であってスクリーン面に沿って前記映像光の偏光方向と直交する方向に多数並べて形成された単位プリズム形状であること、
を特徴とする反射スクリーン。
【発明の詳細な説明】
【技術分野】
【０００１】
本発明は、映像源からの映像光を反射スクリーンにより反射させて観察する反射型投影システム、反射スクリーンに関するものである。
【背景技術】
【０００２】
従来、この種の反射スクリーンは、透明シートの前面側に光透過拡散層、背面側に光反射用のリニアフレネルレンズ面が設けられたものが知られていた（例えば、特許文献１）。また、特許文献２には、外光によるコントラストの低下を抑え、好適な視野角を得ることを可能にする反射スクリーンの構成が開示されている。さらに、特許文献３には、レンチキュラーレンズと反射部を設けた裏面の直交方向に配列されたリニアフレネルレンズの組み合わせによる反射スクリーンについて記載されている。
【０００３】
しかし、よりコントラストの高い画像を得たいという要求、及び、投影側光源の光量が少ない場合であっても、できる限り高輝度な画像を得たいという要求があった。また、高輝度な画像を得られた場合であっても、不要な映り込みを排除することは、常に要求されることである。
さらに、上述した従来の反射スクリーンでは、その製造工程が複雑になり、結果として製造コストが高くなるという問題があった。
【０００４】
また、特許文献４には、斜め前方から投射した光を反射させて観察する反射スクリーンに関し、断面が鋸歯状のスクリーン面に反射面と光吸収面とを形成し、映像光及び外光が到達する面を作り分けた反射スクリーンが開示されている。
しかし、特許文献４に記載の反射スクリーンでは、断面が鋸歯状のスクリーン面に反射面と光吸収面とを明確に分けて製造する必要があるが、鋸歯状の山の一方を反射面とし、他方を光吸収面として作り分けることは、困難であって、製造単価が高くなってしまうという問題があった。
【特許文献１】特開平８−２９８７５号公報
【特許文献２】特開平１０−６２８７０号公報
【特許文献３】特開２００２−３１１５０７号公報
【特許文献４】特開平２−２６２１３４号公報
【発明の開示】
【発明が解決しようとする課題】
【０００５】
本発明の課題は、コントラストが高く、高輝度であって映り込みのない画像を得ることができる反射型投影システム、反射スクリーンを提供することである。
【課題を解決するための手段】
【０００６】
本発明は、以下のような解決手段により、前記課題を解決する。なお、理解を容易にするために、本発明の実施例に対応する符号を付して説明するが、これに限定されるものではない。
請求項１の発明は、映像光を投射する映像源（Ｌ）と、前記映像光を反射させて観察可能にする反射スクリーン（１０）と、を備えた反射型投影システムにおいて、前記反射スクリーンは、スクリーン面に対して直交する断面において、光を透過可能な光透過部（１２）と、光を吸収する光吸収部（１４）とを備え、前記光透過部と前記光吸収部とが、スクリーン面に沿って交互に形成されており、前記光透過部を通過した前記映像光を反射する反射層（１３）を前記光透過部の裏面側に備え、前記映像光は、略直線偏光であって、前記映像光の偏光方向（Ａ）は、前記光透過部と前記光吸収部が同一断面形状を保ちながら延在する方向と略一致していること、を特徴とする反射型投影システムである。
【０００７】
請求項２の発明は、請求項１に記載の反射型投影システムにおいて、前記光透過部（１２）は、スクリーン面に対して直交する断面において、裏面側における幅より前記映像源側における幅が広い略楔形状であってスクリーン面に沿って前記映像光の偏光方向（Ａ）と直交する方向に多数並べて形成された単位プリズム形状であること、を特徴とする反射型投影システムである。
請求項３の発明は、請求項１又は請求項２に記載の反射型投影システムにおいて、通過する光の偏光状態を所定の偏光方向の直線偏光に揃える偏光層（１６）を有し、前記偏光層により揃えられる所定の偏光方向は、前記映像光の偏光方向（Ａ）と略一致していること、を特徴とする反射型投影システムである。
請求項４の発明は、請求項１から請求項３までのいずれか１項に記載の反射型投影システムにおいて、前記反射層（１３）は、一方向の偏光のみを選択的に反射する偏光反射材により形成されており、前記偏光反射材が選択的に反射する偏光方向は、前記映像光の偏光方向（Ａ）と略一致していること、を特徴とする反射型投影システムである。
請求項５の発明は、請求項１から請求項４までのいずれか１項に記載の反射型投影システムにおいて、少なくとも前記反射スクリーンが設置される空間を照明する照明光源（Ｇ）をさらに備え、前記照明光源の照明光は、略直線偏光であって、前記照明光の偏光方向（Ｂ）は、前記映像光の偏光方向（Ａ）と略直交していること、を特徴とする反射型投影システムである。
【０００８】
請求項６の発明は、映像源から投影された映像光を反射させて観察可能にする反射スクリーンであって、スクリーン面に対して直交する断面において、光を透過可能な光透過部（１２）と、光を吸収する光吸収部（１４）と、を備え、前記光透過部と前記光吸収部とが、スクリーン面に沿って交互に形成されており、少なくとも前記光透過部の裏面側に前記光透過部を通過した前記映像光を反射する反射層（１３）を備える反射スクリーンにおいて、通過する光の偏光状態を所定の偏光方向の直線偏光に揃える偏光層（１６）を有し、前記偏光層により揃えられる所定の偏光方向は、前記光透過部と前記光吸収部が同一断面形状を保ちながら延在する方向と略一致していること、を特徴とする反射スクリーン（１０）である。
請求項７の発明は、映像源から投影された映像光を反射させて観察可能にする反射スクリーンであって、スクリーン面に対して直交する断面において、光を透過可能な光透過部（１２）と、光を吸収する光吸収部（１４）と、を備え、前記光透過部と前記光吸収部とが、スクリーン面に沿って交互に形成されており、少なくとも前記光透過部の裏面側に前記光透過部を通過した前記映像光を反射する反射層（１３）を備える反射スクリーンにおいて、前記反射層は、一方向の偏光のみを選択的に反射する偏光反射材により形成されており、前記偏光反射材が選択的に反射する偏光方向は、前記光透過部と前記光吸収部が同一断面形状を保ちながら延在する方向と略一致していること、を特徴とする反射スクリーン（１０）である。
【０００９】
請求項８の発明は、請求項６又は請求項７に記載の反射スクリーンにおいて、前記光透過部（１２）は、スクリーン面に対して直交する断面において、裏面側における幅より前記映像源側における幅が広い略楔形状であってスクリーン面に沿って前記映像光の偏光方向と直交する方向に多数並べて形成された単位プリズム形状であること、を特徴とする反射スクリーン（１０）である。
【発明の効果】
【００１０】
本発明によれば、以下の効果を奏することができる。
（１）映像光は、略直線偏光であって、映像光の偏光方向は、光透過部と光吸収部が同一断面形状を保ちながら延在する方向と略一致しているので、映像光をより効率よく反射することができる。これは光透過部と、光吸収部とに屈折率差を持たせており、そのため界面に入射する偏光方向によって反射率が異なる為である。映像光の偏光方向は界面に対してＳ偏光になるため反射率が高い。よって光吸収層に入射し損失する割合を最も小さくすることが可能となる。
【００１１】
（２）光透過部は、裏面側における幅より映像源側における幅が広い略楔形状であってスクリーン面に沿って映像光の偏光方向と直交する方向に多数並べて形成されているので、不要な外光を吸収し、コントラストの高い映像を表示することができる。
【００１２】
（３）偏光層により揃えられる所定の偏光方向は、映像光の偏光方向と略一致しているので、映像光の偏光方向と一致しない外光成分が反射層に到達することを防ぐことができ、コントラストの高い映像を表示することができる。
【００１３】
（４）偏光反射材が選択的に反射する偏光方向は、映像光の偏光方向と略一致しているので、映像光の偏光方向と一致しない外光成分を反射することなく、コントラストの高い映像を表示することができる。
【００１４】
（５）照明光の偏光方向は、映像光の偏光方向と略直交しているので、映像光と照明光を明確に区別して照明光のみを反射して観察可能とすることができ、室内照明を点灯した明るい室内であっても、コントラストの高い映像を表示することができる。
【発明を実施するための最良の形態】
【００１５】
コントラストが高く、高輝度であって映り込みのない画像を得るという目的を、映像源からの映像光が直線偏光であることを利用して実現した。
【実施例】
【００１６】
図１は、本実施例における反射型投影システムを示した断面図である。
図２は、本実施例における反射型投影システムを示した斜視図である。ただし、図２では、説明のため反射層１３を形成していない状態を示している。なお、図１及び図２は、説明のため各部寸法、形状などを適宜誇張して示しており、室内照明Ｇ，映像源Ｌ，反射スクリーン１０をまとめて模式的に示しているので、実際とは配置関係が異なり、各光線の入射角度などが後述の説明における大小関係と異なる部分が含まれている。
【００１７】
本実施例における反射スクリーン１０は、映像光を投影するプロジェクター光学エンジン部（映像源）Ｌをスクリーン１０の中心に対して下方に設置し、映像光を上方斜めに投射させる配置とし、環境光の殆どがスクリーンの上方からスクリーンに入射することを考慮して開発されたスクリーンである。そして、下方からの映像光は、効率よく観察者側へ反射し、上方からの不要光は、選択的に後述の光吸収部により吸収させることで、非常にコントラストの高いフロントプロジェクタ用反射スクリーンとしたものである。
プロジェクター光学エンジン部（映像源）Ｌは、液晶プロジェクターであって、投射される映像光の偏光状態は、直線偏光となっており、図２中に矢印で示した偏光方向Ａが水平方向となるように配置されている。
図１には、スクリーンの使用状態における垂直方向断面を示している。反射スクリーン１０は、ベース部１１，単位プリズム形状１２，反射層１３，光吸収部１４，正反射防止層１５，偏光層１６等を備えている。
【００１８】
ベース部１１は、単位プリズム形状１２を形成するときに必要な基材となる部分であり、アクリル、ポリカーボネート、ポリエチレンテレフタレートなどの樹脂製のシート又はフィルムから形成される光透過性のある部分であり、本実施例では、アクリルを使用している。なお、このベース部１１には、必要に応じて所定の透過率に減じさせるようなグレー等の染料、顔料等で着色（ティント）が施されていてもよい。
【００１９】
単位プリズム形状１２は、図１の断面において、裏面側における幅より映像源側における幅が広い略楔形状となっている光透過部である。単位プリズム形状１２は、スクリーン面に沿って（図１では上下方向に）多数並べて形成されている。また、単位プリズム形状１２は、上下方向において上下対称な形状となっており、上方、及び、下方の斜面がスクリーン面の法線となす角度は、５°であり、頂部の幅が４０μｍ、谷底から頂部までの高さが２００μｍとなっている。また、単位プリズム形状１２は、屈折率１．５６の紫外線硬化樹脂により形成されている。ここで、スクリーン面とは、スクリーン全体として見たときにおけるスクリーンの平面方向となる面を示すものであり、以下の説明中、及び、特許請求の範囲においても同一の定義として用いている。
【００２０】
光吸収部１４は、単位プリズム形状１２が並ぶ間に形成された光を吸収する作用を有した部分である。本実施例における光吸収部１４は、不図示の黒色ビーズを満遍なく充填することにより形成されている。この黒色ビーズは、光を吸収する作用を有した微小ビーズであって、光吸収部１４内でこのビーズが存在しない隙間は、空隙となっている。この構成により、光吸収部１４が容易に変形することが可能となり、反射スクリーン１０を巻き上げ式とするような場合には、必要な柔軟性を得るのに都合がよい構成である。
単位プリズム形状１２及び光吸収部１４は、図１に示した断面形状を保ったまま水平方向に延在している。先に述べたように映像光の偏光方向は、水平方向であるから、映像光の偏光方向と、単位プリズム形状１２及び光吸収部１４が同一断面形状を保ちながら延在する方向とが一致している。この理由については後述する。
【００２１】
反射層１３は、単位プリズム形状１２の略楔形状の頂部の裏面側に設けられ、映像光を反射して前面側（映像源側）へ戻す層であり、光吸収部１４に充填されている不図示の黒色ビーズを保持するために裏面側の全面を覆うように形成されている。
また、本実施例における反射層１３は、一方向の偏光のみを選択的に反射する偏光反射材により形成されている。本実施例の反射層１３は、誘電体と導体とを交互に面方向に並べて配置したワイヤーグリッド偏光子を用いて形成しており、反射層１３が選択的に反射する偏光方向は、水平方向となっており、映像光の偏光方向と一致している。従って、映像光については効率よく反射しながら、偏光方向が一致しない外光等については、殆ど反射しない。このワイヤーグリッド偏光子は、偏光選択性を持つ反射層であり、別途反射層を設ける必要はない。なお、反射されない光は、裏面方向に透過していくので、外光がスクリーン裏側のいずれかの面で（例えば壁で）反射することを防ぐ為に、例えば黒色の光吸収層を裏面にさらに配置してもよい。反射層１３には、ワイヤーグリッド偏光子の他に、例えばＤＢＥＦ（住友スリーエム株式会社製）を使用してもよい。
本実施例の反射層１３の反射率は、偏光方向が一致する偏光に対しては、４００〜７００ｎｍ平均で８１．１％であり、これと直交する方向の偏光については、３．４％である。
【００２２】
正反射防止層１５は、表面に多数の微細凹凸形状が無作為に形成された層であり、本実施例では、全透過効率≒９０％、拡散透過率≒３７％、ヘイズ値≒４２％である市販の拡散フィルム（株式会社きもと製ＴＬ−４）を使用した。なお、上記ヘイズ値及び以下に示すヘイズ値の測定には、ヘイズ・透過・反射率計ＨＲ−１００型（株式会社村上色彩技術研究所製）を使用した。
正反射防止層１５は、以下の機能を有している。
（１）映像源Ｌが反射スクリーン最表面に映り込んで観察されてしまうことを防止する。
（２）反射スクリーンに投影された画像の観察可能な角度を広げる。
【００２３】
ここで、上記（１）の機能については、層内部に拡散材を混入させたタイプの拡散層（拡散フィルム）を用いたのでは、達成することができない。この機能を達成するためには、表面に微細な凹凸形状を有していることが必要である。そして、この微細凹凸形状による光の拡散度に応じて映像源の映り込み防止効果の程度を調節することができる。拡散の度合いが少なすぎると映り込みを抑えきれないが、かといって拡散度合いを強くしすぎるとスクリーンが白みがかって観察されてしまう。そこで、拡散度の異なる多数の拡散フィルムを評価したところ、正反射防止層１５のヘイズ値としては、ヘイズ値２５％以上、９０％以下の範囲とすると、白みがかってしまうことなく映り込みを効果的に防止することができることが判った。
なお、正反射防止層１５のさらに表面側に、帯電防止処理、ハードコート処理、防汚処理等の各種表面処理を追加して施してもよいが、その場合には、表面の微細凹凸形状を残す必要がある。
【００２４】
偏光層１６は、ベース部１１と正反射防止層１５との間に設けられ、通過する光の偏光状態を所定の偏光方向の直線偏光に揃える層である。具体的には、この所定の偏光方向と一致する偏光成分については、そのまま通過させるが、所定の偏光方向以外の偏光成分については、吸収する吸収型の偏光子である。
本実施例における偏光層１６により揃えられる所定の偏光方向は、水平方向となるように設けられている。よって、偏光層１６を通過可能な偏光方向は、映像光の偏光方向と略一致している。このようにすることにより、映像光については偏光層１６を通過して反射層１３側へ進むことができるが、偏光層１６の所定の偏光方向以外の方向の偏光成分を有した光（例えば外光）は、その大部分が偏光層１６により吸収される。
【００２５】
以上説明した反射スクリーン１０では、図１に示すように映像源Ｌから投影される映像光線Ｌ１，Ｌ２は、単位プリズム形状１２内を導波して光吸収部１４との境界面で全反射を行う。光吸収部１４は、黒色ビーズを充填しているが、その隙間は、空隙であることから、光吸収部１４の屈折率は、単位プリズム形状１２の屈折率よりも屈折率が低く、したがって、この境界面において臨界角よりも大きな角度で入射する光は、全反射する。
そして、単位プリズム形状１２と光吸収部１４との境界面で全反射した映像光は、反射層１３に到達して反射され、その後さらに全反射するなどして観察可能な光線として観察者方向へ戻される。
【００２６】
一方、反射スクリーン１０の上方に設けられた室内照明Ｇなどからの外光Ｇ１，Ｇ２は、反射スクリーン１０に対する入射角度が大きいことから、単位プリズム形状１２と光吸収部１４との境界面における入射角度が小さくなり、臨界角を超えない成分が多く、全反射をすることなく光吸収部１４に入射して、黒色ビーズにより吸収される。したがって、外光が観察位置に戻る割合を非常に少なくすることができる。
【００２７】
ここで、映像光の偏光方向と、単位プリズム形状１２及び光吸収部１４が同一断面形状を保ちながら延在する方向とが一致するようにした理由について説明する。
偏光した光が反射を行う場合、偏光の状態（偏光方向）と反射面との関係により、反射率が異なることは、既に知られており、反射面に対してＳ偏光のほうがＰ偏光よりも反射率が高い。
本実施例の反射スクリーン１０では、単位プリズム形状１２と光吸収部１４との界面において全反射を利用しているので、この界面に到達する光が界面との関係においてＳ偏光に近いほど効率よく映像光を反射させることができる。
図３は、偏光方向の違いによる反射率の変化を本実施例の反射スクリーン１０のスクリーン面に対する入射角度毎に実測した結果をプロットした図である。
図３には、映像光の偏光方向が垂直方向の場合と、偏光方向が水平方向の場合とを、偏光方向が水平方向で入射角度０°の映像光を基準として示している。図３から、映像光の偏光方向が水平方向の場合の方が、偏光方向が垂直方向の場合よりも反射強度が高いことが分かる。この理由は、映像光の偏光方向が水平方向の場合には、単位プリズム形状１２と光吸収部１４との界面に到達する映像光の偏光状態が、この界面との関係においてＳ偏光となる光が多くなるからである。
【００２８】
そこで、本実施例では、映像光の偏光方向と、単位プリズム形状１２及び光吸収部１４が同一断面形状を保ちながら延在する方向とが一致するようにして、全反射面（界面）における入射面と映像光の偏光方向との関係がＳ偏光に近くなるようにして、より高い反射率で映像光を反射するようにしている。
なお、反射スクリーン１０を映像光の偏光方向に合わせて回転してしまうと、本来の映像源Ｌ及び室内照明Ｇとの位置関係が崩れてしまうので、この位置関係を崩さないように、本実施例では、映像光が水平方向の直線偏光で投射されるような映像源Ｌを使用している。
【００２９】
また、本実施例では、上述のように映像光の偏光方向を水平方向に限定し、これに合わせて反射層１３及び偏光層１６の配置を行っている。従って、偏光特性を持たない外光が反射スクリーン１０に到達しても、映像光の偏光方向と一致する成分の光以外は、反射することがない。従って、反射スクリーン１０に表示される映像は、コントラストの高い映像となる。
さらに、本実施例では、コントラストの高い映像をより明るい室内環境において観察可能とするために、室内照明Ｇについても、反射型投影システムの一部として、以下に示す改良を施している。
【００３０】
室内照明Ｇから放出される室内を照明する照明光を直線偏光として、その偏光方向を映像光の偏光方向と直交する方向（図２中の矢印Ｂ方向）、すなわち、垂直方向となるようにしている。具体的には、室内照明Ｇの光を放出する位置に偏光フィルター１７を配置し、室内の照明光の偏光方向を映像光の偏光方向と略直交する方向としている。このようにすることにより、他に光源を置かなければ、スクリーン１０に到達する光を水平方向の直線偏光である映像光と、これと直交する方向の直線偏光である照明光との２種類だけにすることができる。よって映像光のみを選択的に反射させることが本実施例の反射スクリーン１０を用いることにより可能となり、明るい環境内でありながら、非常にコントラストの高い高品質な映像を表示することができる。
【００３１】
反射スクリーン１０に実際に映像光を投影すると、投影画像については高い反射率を有し、外光については、その大部分を吸収することができた。
このように、本実施例によれば、明るい室内であっても、コントラストが高く、高輝度であって映り込みのない画像を得ることができる。
【００３２】
（変形例）
以上説明した実施例に限定されることなく、種々の変形や変更が可能であって、それらも本発明の均等の範囲内である。
本実施例において、映像光の偏光方向に対応して反射層１３、偏光層１６、偏光フィルター１７などを単位プリズム形状１２及び光吸収部１４と組み合わせて使用した例を示したが、これに限らず、例えば、偏光層１６を省略するなど、これらの中の一部を適宜省略してもよい。
【図面の簡単な説明】
【００３３】
【図１】本実施例における反射型投影システムを示した断面図である。
【図２】本実施例における反射型投影システムを示した斜視図である。
【図３】偏光方向の違いによる反射率の変化を反射面に対する入射角度毎にプロットした図である。
【符号の説明】
【００３４】
１０  反射スクリーン
１１  ベース部
１２  単位プリズム形状
１３  反射層
１４  光吸収部
１５  正反射防止層
１６  偏光層
１７  偏光フィルター
【図１】
2006285096.tif 000003
【図２】
2006285096.tif 000004
【図３】
2006285096.tif 000005